(57)【要約】【課題】出金紙幣を施封するための機構等の特別な機構を設けることなく、従来装置の機構のままで、出金紙幣を分割して、紙幣入出金口からその分割された出金紙幣を一括して（併せて）顧客に渡すことができる紙幣自動取引装置を提供する。【解決手段】紙幣入出金口５は、内部に、紙幣を支える壁部材として、プールガイド１４と、紙幣１２をプールガイド１４側へ押圧する第１のビルプレス１５及び第２のビルプレス１６とを備えており、紙幣室１１は、プールガイド１４と第２のビルプレス１６との間に形成され、かつ、第１のビルプレス１５は、出金時に、プールガイド１４と第２のビルプレス１６との間を移動することによって、紙幣室１１内に集積される出金紙幣１２ｂを、プールガイド１４側と第２のビルプレス１６側との複数の紙幣群に分割するための仕切り部材として機能する。【選択図】図１
2010157150.tif 000002
【特許請求の範囲】
【請求項１】
出金時に、出金紙幣を紙幣室に集積して、紙幣入出金口から放出する紙幣自動取引装置において、
前記紙幣入出金口は、内部に、前記紙幣を支える壁部材として、プールガイドと、前記紙幣を当該プールガイド側へ押圧する第１のビルプレス及び第２のビルプレスとを備えており、
前記紙幣室は、前記プールガイドと前記第２のビルプレスとの間に形成され、かつ、
前記第１のビルプレスは、出金時に、前記プールガイドと前記第２のビルプレスとの間を移動することによって、前記紙幣室内に集積される前記出金紙幣を、前記プールガイド側と前記第２のビルプレス側との複数の紙幣群に分割するための仕切り部材として機能する
ことを特徴とする紙幣自動取引装置。
【請求項２】
請求項１に記載の紙幣自動取引装置において、
前記紙幣入出金口は、駆動源によって駆動されて開閉するシャッタによって構成されているとともに、内部に、四方の側面を形成する側板と底面を形成する底板とによって構成された箱体が設けられており、かつ、当該箱体の内部に、前記壁部材としての前記プールガイドと前記第１のビルプレスと前記第２のビルプレスとが配置されている
ことを特徴とする紙幣自動取引装置。
【請求項３】
請求項２に記載の紙幣自動取引装置において、
前記箱体は、前記紙幣を装置内部に取り込む分離機構を備えており、前記出金紙幣の取り忘れが発生した場合に、当該分離機構によって、分割された状態の前記出金紙幣を一括して装置内部に取り込む
ことを特徴とする紙幣自動取引装置。
【請求項４】
請求項１又は請求項２に記載の紙幣自動取引装置において、
前記第１のビルプレスは、顧客からの要求に応じて、前記出金紙幣を、顧客から指定された金額単位、紙幣枚数、又は金種で、分割する
ことを特徴とする紙幣自動取引装置。
【請求項５】
請求項２に記載の紙幣自動取引装置において、
前記第１のビルプレスは、前記プールガイドと前記第２のビルプレスとの間に形成された前記紙幣室から退避するための退避用ポジションが予め設定されており、前記シャッタの開放時に、当該退避用ポジションに移動する
ことを特徴とする紙幣自動取引装置。
【請求項６】
請求項１乃至請求項５のいずれか一項に記載の紙幣自動取引装置において、
さらに、前記出金紙幣が分割集積されていることを顧客に報知する報知手段を有する
ことを特徴とする紙幣自動取引装置。
【発明の詳細な説明】
【技術分野】
【０００１】
本発明は、顧客やオペレータ等の操作によって紙幣の入金や出金を行う紙幣自動取引装置に関する。
【背景技術】
【０００２】
この種の紙幣自動取引装置の中には、紙幣入出金口において、入出金を行うだけでなく、さらに、リジェクト紙幣の集積を行うものがある（例えば、特許文献１参照）。
【０００３】
以下、図５〜図８を参照して、この紙幣自動取引装置（以下、「従来装置」と称する）の詳細につき説明する。なお、図５は、従来装置を含む、一般的な紙幣自動取引装置の斜視図である。また、図６は、従来装置における紙幣入出金口の内部機構の側面図であり、さらに、図７及び図８は、それぞれ、従来装置における紙幣入出金口の内部機構の動作説明図である。
【０００４】
図５に示す例では、紙幣自動取引装置（以下、「ＡＴＭ」と称する）１は、正面上部に略Ｌ字形の接客部７を有している。接客部７の立位面には、レシート発行口を兼ねるカード挿入排出口２と通帳挿入排出口３とが設けられている。一方、接客部７の水平面（事実上、水平に近い傾斜面）には、手前側にタッチパネル式の操作表示部４が、また、その奥側に紙幣入出金口５と硬貨入出金口６とがそれぞれ設けられている。
【０００５】
紙幣入出金口５は、図６に示すように、図示せぬモータ等の駆動源によって駆動されて開閉するシャッタ１３によって構成されている。紙幣入出金口５の内部には、四方の側面を形成する側板５ａと底面を形成する底板５ｂとによって構成された箱体が、設けられている。この箱体は、シャッタ１３によって、選択的に閉鎖状態又は開放状態となる。
【０００６】
紙幣入出金口５は、内部に、紙幣１２を支える壁部材として、プールガイド１４、第１のビルプレス１５、及び、第２のビルプレス１６を備えている。プールガイド１４は、紙幣１２を支える部材である。第１のビルプレス１５及び第２のビルプレス１６は、紙幣１２をプールガイド１４側へ押圧する部材である。なお、図示例では、第１のビルプレス１５は、高さが第２のビルプレス１６よりも低く形成されている。
【０００７】
プールガイド１４は、第１のビルプレス１５及び第２のビルプレス１６と対向しており、第２のビルプレス１６との間に紙幣室１１を形成する。紙幣室１１は、入金時に顧客が投入する紙幣１２を受け入れるとともに、出金時に顧客に出金する紙幣１２を集積するための空間である。以下、入金時に顧客が投入する紙幣１２と出金時に顧客に出金する紙幣１２とを区別する場合に、それぞれ「入金紙幣１２ａ」及び「出金紙幣１２ｂ」と称する。
【０００８】
プールガイド１４と第１のビルプレス１５と第２のビルプレス１６とは、それぞれ、図６に示す矢印Ａ方向及び矢印Ｂ方向のいずれの方向にも移動自在な構成として設けられている。プールガイド１４と第１のビルプレス１５と第２のビルプレス１６は、それぞれ、入金時に入金紙幣１２ａを分離するための分離用ポジション（図７参照）と、出金時に出金紙幣１２ｂを集積するための集積用ポジション（図８参照）とが予め設定されている。プールガイド１４と第１のビルプレス１５と第２のビルプレス１６は、図示せぬモータ等の駆動源によって駆動されて、それぞれが独立して紙幣入出金口５の内部の側板５ａで囲まれた空間内を分離用ポジションと集積用ポジションとの間で移動する。なお、分離用ポジションと集積用ポジションとの間には、ＡＴＭ１と顧客との間で紙幣１２を受渡すための紙幣受渡し用ポジションが存在する。図６は、プールガイド１４と第１のビルプレス１５と第２のビルプレス１６がそれぞれ紙幣受渡し用ポジションに配置された状態を示している。
【０００９】
紙幣入出金口５の内部の箱体は、底面５ｂが分離搬送路２１及び放出搬送路２０と接続されている。
分離搬送路２１は、入金時に、入金紙幣１２ａを紙幣室１１から図示せぬ鑑別部及び紙幣収納庫に搬送したり、出金時に、顧客が取り忘れた出金紙幣１２ｂを紙幣室１１から図示せぬ取り忘れ紙幣収納庫に搬送するための搬送路である。分離搬送路２１は、その周囲に、ピッカローラ１７、フィードローラ１８、及び、ゲートローラ１９が設けられている。ピッカローラ１７とフィードローラ１８とゲートローラ１９は、入金紙幣１２ａを分離するための分離機構を構成している。
一方、放出搬送路２０は、出金時に、出金紙幣１２ｂを図示せぬ紙幣収納庫から紙幣室１１に搬送したり、入金時に、顧客が投入した入金紙幣１２ａの中から図示せぬ鑑別部によって検知されたリジェクト紙幣（すなわち、顧客に返却すべき異常紙幣）１２ｃを、鑑別部から紙幣室１１に搬送するための搬送路である。
【００１０】
係る構成において、プールガイド１４と第１のビルプレス１５と第２のビルプレス１６は、それぞれ、以下のように動作する。
【００１１】
入金時において、ＡＴＭ１は、プールガイド１４と第１のビルプレス１５と第２のビルプレス１６をそれぞれ図６に示すポジションに配置した後、図６に示すポジションから図７に示すポジションに移動させる。なお、図６は、前記した通り、プールガイド１４と第１のビルプレス１５と第２のビルプレス１６がそれぞれ紙幣受渡し用ポジションに配置された状態を示している。一方、図７は、プールガイド１４と第１のビルプレス１５と第２のビルプレス１６がそれぞれ分離用ポジションに配置された状態を示している（ただし、厳密には、第２のビルプレス１６はリジェクト紙幣１２ｃを集積するための集積用ポジションに配置された状態を示している）。
【００１２】
すなわち、まず、ＡＴＭ１は、プールガイド１４と第１のビルプレス１５と第２のビルプレス１６をそれぞれ図６に示す紙幣受渡し用ポジションに配置して、紙幣入出金口５のシャッタ１３を開ける。これにより、顧客は、紙幣１２を紙幣入出金口５の内部の紙幣室１１（具体的には、プールガイド１４と第１のビルプレス１５との間）に投入する。ＡＴＭ１は、顧客が紙幣１２を投入すると、シャッタ１３を閉じる。
【００１３】
この後、ＡＴＭ１は、第１のビルプレス１５をプールガイド１４側（図６に示す矢印Ａ方向）に移動させて、プールガイド１４と第１のビルプレス１５とで紙幣１２を挟持し、さらに、紙幣１２を挟持した状態でプールガイド１４と第１のビルプレス１５とを分離用ポジション（図７参照）に移動させる。このとき、ピッカローラ１７の外周の一部が、プールガイド１４に設けられたローラ用孔から紙幣１２側に突出して、紙幣１２と接触する。
また、このプールガイド１４と第１のビルプレス１５の移動と同時に、ＡＴＭ１は、第２のビルプレス１６を、放出搬送路２０側方向（図６に示す矢印Ｂ方向）に、リジェクト紙幣１２ｃを集積するための集積用ポジション（図７参照）まで移動させる。
【００１４】
ＡＴＭ１は、図７に示す状態で、ピッカローラ１７とフィードローラ１８とゲートローラ１９とを時計方向に回転する。このとき、ピッカローラ１７の外周に設けられている高摩擦部材が紙幣１２を紙幣室１１から分離搬送路２１側に繰り出し、フィードローラ１８とゲートローラ１９が２枚以上の紙幣１２が同時に繰り出されるのを規制する。そのため、ＡＴＭ１は、１枚の紙幣１２だけを確実に分離搬送路２１に繰り出す。
【００１５】
ＡＴＭ１は、分離搬送路２１によって、繰り出された紙幣１２を図示せぬ鑑別部に搬送し、鑑別部で入金可能な紙幣か否かを鑑別する。鑑別部が紙幣１２を入金可能な紙幣と判断した場合に、ＡＴＭ１は、図示せぬ搬送路によって、その紙幣１２を鑑別部から図示せぬ紙幣収納庫に搬送して、その紙幣収納庫に収納する。一方、鑑別部が紙幣１２を入金不能な紙幣と判断した場合に、ＡＴＭ１は、放出搬送路２０によって、その紙幣１２をリジェクト紙幣１２ｃとして鑑別部から紙幣入出金口５に搬送して、第１のビルプレス１５と第２のビルプレス１６との間に立位状態で集積する。
【００１６】
ＡＴＭ１は、プールガイド１４と第１のビルプレス１５との間に挟持されたすべての紙幣１２を分離搬送路２１に繰り出した後、プールガイド１４と第１のビルプレス１５と第２のビルプレス１６を紙幣受渡し用ポジション（図６参照）に移動させて、リジェクト紙幣１２ｃを顧客に返却する。
【００１７】
一方、出金時において、ＡＴＭ１は、プールガイド１４と第１のビルプレス１５と第２のビルプレス１６をそれぞれ図８に示すポジションに配置した後、図８に示すポジションから図６に示すポジションに移動させる。なお、図８は、プールガイド１４と第１のビルプレス１５と第２のビルプレス１６がそれぞれ集積用ポジションに配置された状態を示している。
【００１８】
すなわち、まず、ＡＴＭ１は、プールガイド１４と第１のビルプレス１５と第２のビルプレス１６をそれぞれ図８に示すポジションに配置する。そして、ＡＴＭ１は、図示せぬ金種別の紙幣収納庫に収納された紙幣１２を紙幣収納庫から放出搬送路２０に繰り出し、放出搬送路２０によって、繰り出された紙幣１２を出金紙幣１２ｂとして、紙幣収納庫から紙幣入出金口５に搬送して、紙幣室１１（具体的には、プールガイド１４と第１のビルプレス１５との間）に立位状態で集積する。なお、ＡＴＭ１は、２つの金種を出金する場合に、指定された枚数の一つ目の金種の集積が完了した後、二つ目の金種を一つ目とは別の紙幣収納庫から１枚ずつ繰り出して、一つ目の金種と一緒に紙幣室１１（プールガイド１４と第１のビルプレス１５との間）の間に立位状態で集積する。
【００１９】
この後、ＡＴＭ１は、プールガイド１４と第１のビルプレス１５と第２のビルプレス１６を紙幣受渡し用ポジション（図６）に移動させる。そして、ＡＴＭ１は、顧客に出金紙幣１２ｂの受け取りを要請するメッセージ（例えば「紙幣を受け取ってください」等）を操作表示部４に表示して、シャッタ１３を開ける。これにより、顧客は、紙幣入出金口５から出金紙幣１２ｂを受け取る。
【００２０】
ところで、顧客は、例えば、一万円札を１８０枚出金する場合に、１００枚の束とその他の束というように、出金紙幣１２ｂを枚数毎に区分して管理したい場合がある。このような場合に、顧客は、ＡＴＭ１から受け取った出金紙幣１２ｂを顧客自身で数えながら区分する作業を行う必要があった。
また、顧客は、例えば、一万円札と千円札というように、出金紙幣１２ｂを金種毎に区分して管理したい場合がある。このような場合に、顧客は、出金紙幣１２ｂの金種の境目を一目で見分けることができないため、顧客自身で出金紙幣１２ｂの金種の境目を見つけて区分する作業を行う必要があった。この作業は、手間がかかるものであり、特に、ドル紙幣のように、紙幣サイズがどの金種も同じ場合に、一層手間がかかっていた。
そのため、ＡＴＭ１は、出金後に、このような作業を行う顧客がいると、装置の利用率が低下していた。
【００２１】
そこで、出金時に、出金紙幣を複数の紙幣群に分割（区分）する装置が提案されていた（特許文献２参照）。特許文献２に開示された装置は、出金紙幣を複数の紙幣群に分割（区分）しながら、各紙幣群を施封して、出金するものである。
【特許文献１】特開平０９−１４７１９３号公報（図３〜図８）
【特許文献２】特開平１０−１５４２５４号公報（図３）
【発明の開示】
【発明が解決しようとする課題】
【００２２】
しかしながら、特許文献２に開示された装置は、出金紙幣を施封するための機構等の特別な機構を設ける必要があるため、装置が大型化するとともに、コストが上昇するという課題があった。
【００２３】
本発明は、前記した課題を解決するためになされたものであり、出金紙幣を施封するための機構等の特別な機構を設けることなく、特許文献１に開示された従来装置と同様の機構のままで、出金紙幣を分割して、その分割された出金紙幣を紙幣入出金口から一括して（併せて）顧客に渡すことができる紙幣自動取引装置を提供することを主な目的とする。
【課題を解決するための手段】
【００２４】
前記目的を達成するため、本発明は、出金時に、出金紙幣を紙幣室に集積して、紙幣入出金口から放出する紙幣自動取引装置であって、前記紙幣入出金口は、内部に、前記紙幣を支える壁部材として、プールガイドと、前記紙幣を当該プールガイド側へ押圧する第１のビルプレス及び第２のビルプレスとを備えており、前記紙幣室は、前記プールガイドと前記第２のビルプレスとの間に形成され、かつ、前記第１のビルプレスは、出金時に、前記プールガイドと前記第２のビルプレスとの間を移動することによって、前記紙幣室内に集積される前記出金紙幣を、前記プールガイド側と前記第２のビルプレス側との複数の紙幣群に分割するための仕切り部材として機能することを特徴とする。
【発明の効果】
【００２５】
本発明により、出金紙幣を施封するための機構等の特別な機構を設けることなく、従来装置と同様の機構のままで、出金紙幣を分割して、その分割された出金紙幣を紙幣入出金口から一括して（併せて）顧客に渡すことができる紙幣自動取引装置を提供できる。
【発明を実施するための最良の形態】
【００２６】
以下、図面を参照して、本発明の実施の形態（以下、「本実施形態」と称する）につき詳細に説明する。なお、各図は、各構成要素の形状、大きさ、及び、配置関係を、本発明を理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００２７】
以下、図１を参照して、本実施形態に係る紙幣自動取引装置（ＡＴＭ）の動作につき説明する。なお、図１は、実施形態に係る紙幣自動取引装置の動作説明図である。
【００２８】
図１に示すように、本実施形態に係るＡＴＭ１ａは、従来装置と同様の機構のままで、出金紙幣１２ｂの分割（区分）を実現する。そのために、ＡＴＭ１ａの制御部５０は、出金時に、第１のビルプレス１５を、プールガイド１４と第２のビルプレス１６との間を移動させる。これによって、ＡＴＭ１ａは、この第１のビルプレス１５を、紙幣室１１内に集積される出金紙幣１２ｂをプールガイド１４側と第２のビルプレス１５側との複数の紙幣群に分割（区分）するための仕切り部材として、機能させる。
したがって、ＡＴＭ１ａは、構成が従来装置の機構と同様になっているが、出金時の動作が従来装置の動作と異なる。
【００２９】
以下、出金時のＡＴＭ１ａの動作、特に、紙幣入出金口５の内部の壁部材（プールガイド１４と第１のビルプレス１５と第２のビルプレス１６）の動作につき説明する。なお、ここでは、従来装置と同様に、プールガイド１４と第１のビルプレス１５と第２のビルプレス１６は、それぞれ、入金時に入金紙幣１２ａを分離するための分離用ポジション（図７参照）と、出金時に出金紙幣１２ｂを集積するための集積用ポジション（図４（ａ）及び図４（ｂ）参照）とが予め設定されており、分離用ポジションと集積用ポジションの間で紙幣入出金口５の内部を移動するものとして説明する。
【００３０】
顧客は、紙幣１２を分割（区分）して出金する場合に、操作表示部４を操作して、分割（区分）する金額単位、紙幣枚数、又は金種を、指定（入力）する。ここでは、顧客は、ＡＴＭ１ａが出金紙幣１２ｂを二つの群に分割して出金する構成となっているため、例えば、「一つ目の群に１００万円、二つ目の群に８０万円」又は「一つ目の群に１００枚、二つ目の群に８０枚」又は「一つ目の群に一万円札、二つ目の群に千円札」等のように、指定するものとして説明する。
【００３１】
これに応答して、ＡＴＭ１ａの制御部５０は、まず、プールガイド１４と第１のビルプレス１５と第２のビルプレス１６とを、それぞれ、集積用ポジション（図４（ａ）参照）に移動させる。
この後、制御部５０は、一つ目の群の出金紙幣１２ｂ（以下、「第１群の出金紙幣１２Ａ」と称する）をプールガイド１４と第１のビルプレス１５との間に立位状態で集積させる。
【００３２】
制御部５０は、第１群の出金紙幣１２Ａの集積が完了したら、第１のビルプレス１５をプールガイド１４側方向に移動させる（図４（ｂ）参照）。なお、このとき、制御部５０は、好ましくは、集積空間を確保するために、必要に応じて、プールガイド１４を分離搬送路２１側方向に移動させるとよい。
この後、制御部５０は、二つ目の群の出金紙幣１２ｂ（以下、「第２群の出金紙幣１２Ｂ」と称する）を第１のビルプレス１５と第２のビルプレス１６との間に立位状態で集積させる。
【００３３】
なお、第１のビルプレス１５は、好ましくは、顧客が出金紙幣１２ｂを一度に取り出すことができる範囲内で仕切るようにするとよい。
また、第１のビルプレス１５は、後記するように、紙幣室１１から退避するための退避用ポジション（図４（ｃ）参照）が予め設定されており、シャッタ１３の開放時に、退避用ポジションに移動する構成にするとよい。なお、この場合、底板５ｂは、第１のビルプレス１５が退避用ポジションに移動できるように、一部分が開放される構成とする。
【００３４】
制御部５０は、第２群の出金紙幣１２Ｂの集積が完了したら、プールガイド１４と第１のビルプレス１５と第２のビルプレス１６のそれぞれを分割時の紙幣受渡し用ポジション（図１参照）に移動させる。なお、図１は、プールガイド１４と第１のビルプレス１５と第２のビルプレス１６がそれぞれ分割時の紙幣受渡し用ポジションに配置された状態を示している。分割時の紙幣受渡し用ポジションは、分割しない場合の紙幣受渡し用ポジション（図６参照）と比較すると、第１のビルプレス１５と第２のビルプレス１６が第２群の出金紙幣１２Ｂを挟持できるように、第１のビルプレス１５がプールガイド１４側に移動した位置となっている。
【００３５】
この後、制御部５０は、顧客に出金紙幣１２ｂの受け取りを要請するメッセージ（以下、「受取り要請メッセージ」と称する）を操作表示部４に表示させて、シャッタ１３を開けさせる。これにより、顧客は、二つの群に分割された出金紙幣１２ｂを紙幣入出金口５から一括して受け取ることができる。
【００３６】
なお、受取り要請メッセージは、好ましくは、「手前側に所定金額Ａａの束（例えば１００万円）、奥側に所定金額Ａｂの束（例えば８０万円）があります」又は「手前側に所定枚数Ｂａの束（例えば１００枚）、奥側に所定枚数Ｂｂの束（例えば８０枚）があります」又は「手前側に金種Ｃａの束（例えば一万円札）、奥側に金種Ｃｂの束（例えば千円札）があります」等のように、分割（区分）された紙幣群の位置を示すようにするとよい。これにより、顧客は、分割（区分）された出金紙幣１２ｂの境目を容易に発見できる。
【００３７】
ＡＴＭ１ａは、このようにして、出金紙幣１２ｂを単一の紙幣室１１内で分割（区分）し、その分割した出金紙幣１２ｂをそのまま紙幣入出金口５から放出する。
【００３８】
以下、図２乃至図４を参照して、本実施形態に係る紙幣自動取引装置（ＡＴＭ）の動作の詳細につき説明する。なお、図２は、実施形態に係る紙幣自動取引装置の動作を説明するためのフローチャートである。また、図３は、操作表示部の表示例の説明図であり、図４は、実施形態に係る紙幣自動取引装置の動作の説明図である。
【００３９】
ＡＴＭ１ａの制御部５０は、図示せぬ接近検知センサによって顧客の接近を検知すると、初期画面である取引選択画面（図示せず）を操作表示部４に表示させて、顧客に取引処理（例えば、出金や入金等）の選択を要請する。なお、操作表示部４は、表示面が上向きに配置された液晶ディスプレイ等による表示手段と、この表示手段上に配置された入力手段としてのタッチパネルとを備えた構成となっている。操作表示部４は、顧客の操作を誘導するメッセージや各種の入力キーが配された画面を表示手段に表示し、顧客がタッチパネル上から指で入力キーを押下することによって、入力キーに定義された情報が入力される。
【００４０】
顧客が取引選択画面に基づいて出金取引を選択した場合に、制御部５０は、例えば図３（ａ）に示す出金金額の入力画面を操作表示部４に表示させて、一連の動作を開始する。なお、図３（ａ）に示す出金金額の入力画面は、分割出金キー１００が表示されている。ＡＴＭ１ａは、分割出金キー１００が押下された場合に、分割出金を行う。すなわち、ＡＴＭ１ａは、紙幣室１１内で出金紙幣１２ｂを分割して、紙幣入出金口５から出金する。
【００４１】
ここで、顧客がいずれかのキーを押下したとする。このとき、制御部５０は、顧客によって押下されたキー（以下、「押下キー」と称する）が分割出金キー１００（図３（ａ）参照）か否かを判断する（Ｓ１）。
【００４２】
Ｓ１の判断で、押下キーが分割出金キーでない場合（“Ｎｏ”の場合）に、ＡＴＭ１ａは、従来と同様の、出金紙幣１２ｂを分割しない出金取引（以下、「通常出金」と称する）を行う（Ｓ２）。この場合に、押下キーが図３（ａ）に示すテンキー１０１であれば、制御部５０は、押下されたキー情報に基づいて出金金額を出金額欄１０２に表示させる。そして、顧客が出金額欄１０２に表示された出金金額を見て確認キー１０３を押下すると、制御部５０は、出金額欄１０２に表示された出金金額をプールガイド１４と第１のビルプレス１５との間に集積させて、紙幣入出金口５から放出させる。なお、押下キーが図３（ａ）に示す取消キー１０４であれば、制御部５０は、操作表示部４の表示を１ステップ前の取引選択画面に戻させる。
【００４３】
一方、Ｓ１の判断で、押下キーが分割出金キーである場合（“Ｙｅｓ”の場合）に、制御部５０は、例えば図３（ｂ）に示す分割金額の入力画面を操作表示部４に表示させて、顧客に分割金額の入力を要請する（Ｓ３）。顧客は、図３（ｂ）に示す分割金額の入力画面に基づいて、テンキー１０１を操作して、合計金額欄１０５及び分割額欄１０６に取引合計金額及び分割金額を入力する。ここでは、顧客は、図３（ｂ）に示す分割金額の入力画面で、取引合計金額及び分割金額として、「合計出金額７７８，０００円、分割額４５３，０００円」を入力するものとして説明する。この場合に、制御部５０は、まず、第１群の出金紙幣１２Ａとして、４５３，０００円分の紙幣１２を、プールガイド１４と第１のビルプレス１５との間に集積させ、次に、第２群の出金紙幣１２Ｂとして、残りの金額分（すなわち、３２５，０００円分）の紙幣１２を、第１のビルプレス１５と第２のビルプレス１６との間に集積させる。なお、仮に、合計出金額欄１０５及び分割額欄１０６の横の訂正キー１０７が押下されると、制御部５０は、該当する欄（合計出金額欄１０５又は分割額欄１０６）の表示を一旦消去させて、再度、テンキー１０１によって入力される情報を有効にする。
【００４４】
なお、顧客は、例えば支払先毎の支払額面等を十分に把握している場合が多いので、合計金額よりも複数の用途金額をそれぞれ個別に入力したいときがある。そこで、制御部５０は、図３（ｂ）に示す分割金額の入力画面の代わりに、例えば図３（ｃ）に示す分割金額の入力画面を操作表示部４に表示させるようにしてもよい。なお、図３（ｃ）に示す分割金額の入力画面は、複数（図示例では２つ）の用途金額のそれぞれを、複数（図示例では２つ）の分割額欄１０８，１０９に入力する構成となっている。
【００４５】
Ｓ３の後、制御部５０は、所定時間、適宜、顧客によって分割金額が入力されたか否かを判断する（Ｓ４）。
Ｓ４の判断で、所定時間内に分割金額が入力されていない場合（“Ｎｏ”の場合）に、処理はＳ３に戻る。この場合、分割金額が入力されるまで、制御部５０は、Ｓ３〜Ｓ４の処理を繰り返す。
一方、Ｓ４の判断で、分割金額が入力された場合（“Ｙｅｓ”の場合）に、制御部５０は、第１群の出金紙幣１２Ａの受入準備として、まず、プールガイド１４と第１のビルプレス１５と第２のビルプレス１６のそれぞれを分割時の第１群の集積用ポジション（図４（ａ）参照）に移動させる（Ｓ５）。
【００４６】
制御部５０は、図示せぬ検知手段によって、第１群の出金紙幣１２Ａの受入準備の完了を検知する（すなわち、プールガイド１４と第１のビルプレス１５と第２のビルプレス１６の移動の完了を検知する）と、図示せぬ紙幣収納庫から第１群の出金紙幣１２Ａとして指定された金額分の紙幣１２を繰り出させる（Ｓ６）。
本実施形態では、図４（ａ）に示すように、制御部５０は、第１群の第１金種紙幣１２Ａａとして、一万円券収納庫から４５枚の一万円札を繰り出させるとともに、第１群の第２金種紙幣１２Ａｂとして、千円券収納庫から３枚の千円札を繰り出させ、紙幣室１１内に搬送させて、それぞれを、第１群の出金紙幣１２Ａとして、プールガイド１４と第１のビルプレス１５との間に集積させる。
【００４７】
Ｓ６と並行して、制御部５０は、第１群の出金紙幣１２Ａの集積が完了したか否かを判断する（Ｓ７）。
なお、紙幣収納庫から繰り出された紙幣１２は、図示せぬ鑑別部を通過する際に、鑑別部によって鑑別される。このとき、「出金不能」と判断された紙幣１２は、図示せぬ出金リジェクト庫に取り込まれる。そのため、「出金可能」と判断された紙幣１２のみが、出金紙幣１２ｂとして、紙幣室１１に搬送される。
【００４８】
Ｓ７の判断で、第１群の出金紙幣１２Ａの集積が完了していない場合（“Ｎｏ”の場合）に、処理はＳ６に戻る。この場合、第１群の出金紙幣１２Ａの集積が完了するまで、制御部５０は、Ｓ６〜Ｓ７の処理を繰り返す。
一方、Ｓ７の判断で、第１群の出金紙幣１２Ａの集積が完了した場合（“Ｙｅｓ”の場合）に、制御部５０は、第２群の出金紙幣１２Ｂの受入準備として、まず、プールガイド１４と第１のビルプレス１５のそれぞれを、図４（ｂ）に示す矢印Ａ方向に、分割時の第２群の集積用ポジション（図４（ｂ）参照）まで移動させる（Ｓ８）。なお、このとき、プールガイド１４と第１のビルプレス１５は、第１群の出金紙幣１２Ａを挟持したままの状態で移動させられる。また、このときの移動量は、第１群として集積させている出金紙幣１２Ａの枚数（又は厚さ）に応じて、変化させるものとする。
【００４９】
制御部５０は、図示せぬ検知手段によって、第２群の出金紙幣１２Ｂの受入準備の完了を検知する（すなわち、プールガイド１４と第１のビルプレス１５の移動の完了を検知する）と、図示せぬ紙幣収納庫から第２群の出金紙幣１２Ｂとして指定された金額分（すなわち、残りの金額の３２５，０００円分）の紙幣１２を繰り出させる（Ｓ９）。
本実施形態では、図４（ｂ）及び図４（ｃ）に示すように、制御部５０は、第２群の第１金種紙幣１２Ｂａとして、一万円券収納庫から３２枚の一万円札を繰り出させるとともに、第２群の第２金種紙幣１２Ｂｂとして、千円券収納庫から５枚の千円札を繰り出させ、紙幣室１１内に搬送させて、それぞれを、第２群の出金紙幣１２Ｂとして、第１のビルプレス１５と第２のビルプレス１６との間に集積させる。
【００５０】
Ｓ９と並行して、制御部５０は、第２群の出金紙幣１２Ｂの集積が完了したか否かを判断する（Ｓ１０）。
【００５１】
Ｓ１０の判断で、第２群の出金紙幣１２Ｂの集積が完了していない場合（“Ｎｏ”の場合）に、処理はＳ９に戻る。この場合、第２群の出金紙幣１２Ｂの集積が完了するまで、制御部５０は、Ｓ９〜Ｓ１０の処理を繰り返す。
一方、Ｓ１０の判断で、第２群の出金紙幣１２Ｂの集積が完了した場合（“Ｙｅｓ”の場合）に、制御部５０は、図４（ｃ）に示すように、プールガイド１４と第１のビルプレス１５と第２のビルプレス１６とで第１群の出金紙幣１２Ａａ，１２Ａｂと第２群の出金紙幣１２Ｂａ，１２Ｂｂとを挟持したままの状態で、プールガイド１４と第１のビルプレス１５と第２のビルプレス１６とを紙幣受渡し用ポジションに移動させる（Ｓ１１）。
【００５２】
このとき、制御部５０は、プールガイド１４を矢印Ａ方向に移動させつつ、第１のビルプレス１５と第２のビルプレス１６とを矢印Ｂ方向に移動させるが、好ましくは、それぞれの移動量に差異をつけて移動させるとよい。これにより、ＡＴＭ１ａは、第１群の出金紙幣１２Ａａ，１２Ａｂと第２群の出金紙幣１２Ｂａ，１２Ｂｂとが一括して抜き取られるように集積できる。
【００５３】
制御部５０は、プールガイド１４と第１のビルプレス１５と第２のビルプレス１６の紙幣受渡し用ポジションへの移動が完了すると、例えば図３（ｄ）に示す紙幣受取りの要請画面を操作表示部４に表示させて、出金紙幣１２ｂの取出案内を行う（Ｓ１２）。なお、図３（ｄ）に示す例では、画面には、出金紙幣１２ｂの束が手前側と奥側とに分割集積されていることを、イラストや画像で表示している。また、このとき、制御部５０は、出金紙幣が分割集積されていることを知らせる音声を図示せぬスピーカから出力させて、顧客に報知するようにしてもよい。
【００５４】
制御部５０は、Ｓ１２と並行して、シャッタ１３を開けさせて（Ｓ１３）、出金紙幣１２ｂの取り出しを可能にする。顧客は、図４（ｃ）に示す上方から手を挿入して、出金紙幣１２ｂを取り出すことになる。
このとき、制御部５０は、図示せぬ手挿入検知センサによって、顧客による紙幣取り出し動作を検知する。なお、顧客は、出金紙幣１２ｂが分割されているため、第１群の出金紙幣１２Ａａ，１２Ａｂと第２群の出金紙幣１２Ｂａ，１２Ｂｂとを一度に取り出せないことがある。そこで、制御部５０は、図示せぬ紙幣検知センサによっても、出金紙幣１２ｂの取り出し状況を監視する。すなわち、制御部５０は、紙幣検知センサから出力される信号に基づいて、出金紙幣１２ｂが検知されているか否か（すなわち、出金紙幣１２ｂが紙幣室１１内にあるか否か）を判断する（Ｓ１４）。
【００５５】
Ｓ１４の判断で、出金紙幣１２ｂが検知されていない場合（“Ｎｏ”の場合）に、制御部５０は、手挿入検知センサの検知回数に係わらず、第１群の出金紙幣１２Ａａ，１２Ａｂと第２群の出金紙幣１２Ｂａ，１２Ｂｂとのすべてが取り出されたと判断する。この場合に、制御部５０は、シャッタ１３を閉じさせて（Ｓ１５）、一連の処理を終了する。
これにより、顧客は、第１群と第２群とに分割された出金紙幣１２ｂを、容易に分けて管理できる。なお、顧客は、異なる金種の出金紙幣１２ｂを出金した場合に、金種の境目を、出金紙幣１２ｂを仕切る目安にすることができる。例えば、本実施形態のように、一万円札と千円札とがあれば、一万円札と千円札との境目を、出金紙幣１２ｂの仕切る目安として、出金紙幣１２を束ねることもできる。
【００５６】
一方、Ｓ１４の判断で、所定時間経過しても、出金紙幣１２ｂが検知される場合（“Ｙｅｓ”の場合）に、制御部５０は、第１群の出金紙幣１２Ａａ，１２Ａｂと第２群の出金紙幣１２Ｂａ，１２Ｂｂが取り出されていないと判断する。この場合に、制御部５０は、出金紙幣１２ｂの取り出しを促す画面を操作表示部４に表示させたり、出金紙幣１２ｂの取り出しを促す音声等を図示せぬスピーカから出力させたりする。顧客は、ＡＴＭ１ａがこのような動作を行っても、帰ってしまう場合がある。その場合に、制御部５０は、タイムアウトか否かを判断する（Ｓ１６）。
【００５７】
Ｓ１６の判断で、タイムアウトでない場合（“Ｎｏ”の場合）に、処理はＳ１２に戻る。
一方、Ｓ１６の判断で、タイムアウトである場合（“Ｙｅｓ”の場合）に、制御部５０は、顧客が出金紙幣１２ｂを取り忘れたものとして（すなわち、第１群の出金紙幣１２Ａａ，１２Ａｂ及び第２群の出金紙幣１２Ｂａ，１２Ｂｂの一部又はすべてを取り忘れたものとして）、シャッタ１３を閉じさせる（Ｓ１７）。これにより、ＡＴＭ１ａは、悪意のある第三者による取り忘れられた出金紙幣１２ｂの搾取等を防止する。なお、制御部５０は、図示せぬ接近検知センサによって、顧客がＡＴＭ１ａから離れたことを検知した場合も、同様に、シャッタ１３を閉じさせる。
【００５８】
Ｓ１７の後、ＡＴＭ１ａは、以下のＳ１８〜Ｓ１９の動作を行うことによって、取り忘れられた出金紙幣１２ｂの内部への取り込みと収納を行う。このとき、ＡＴＭ１ａは、第１のビルプレス１５が第２群の出金紙幣１２Ｂａ，１２Ｂｂを内部に取り込む際の障害になるため、ピッカローラ１７が第２群の出金紙幣１２Ｂと接触できない。そこで、ＡＴＭ１ａは、第１のビルプレス１５を退避する動作を行う。
【００５９】
すなわち、まず、制御部５０は、底板５ｂの一部を開放して、第１のビルプレス１５を退避させる（Ｓ１８）。
第１のビルプレス１５の退避が終了したら、制御部５０は、プールガイド１４と第２のビルプレス１６とで第１群の出金紙幣１２Ａａ，１２Ａｂと第２群の出金紙幣１２Ｂａ，１２Ｂｂとを挟持したままの状態で、プールガイド１４と第２のビルプレス１６とを分離用ポジション（図７参照）に移動させる。そして、制御部５０は、プールガイド１４と第２のビルプレス１６によって挟持されている第１群の出金紙幣１２Ａａ，１２Ａｂと第２群の出金紙幣１２Ｂａ，１２Ｂｂとを、ピッカローラ１７（図１参照）に押し付けさせて分離搬送路２１（図１参照）に繰り出させ、図示せぬ取り忘れ紙幣収納庫に収納させる。これにより、ＡＴＭ１ａは、取り忘れられた第１群の出金紙幣１２Ａａ，１２Ａｂと第２群の出金紙幣１２Ｂａ，１２Ｂｂとを一括して（併せて）、内部への取り込みと収納を行う（Ｓ１９）。
【００６０】
制御部５０は、図示せぬ紙片検知センサによって、取り忘れられた出金紙幣１２ｂのすべてが取り込まれたことを検知したら、第２のビルプレス１６を放出搬送路２０側に戻させるとともに、退避させていた第１のビルプレス１５を紙幣室１１内に戻させる。
【００６１】
以上の通り、ＡＴＭ１ａによれば、特別な機構を設けることなく、従来装置と同様の機構のままで、出金紙幣を分割して、その分割された出金紙幣を紙幣入出金口から一括して（併せて）顧客に渡すことができる。これにより、装置の大型化を抑制できるとともに、コストの上昇を抑制できる。
【００６２】
本発明は、前記した実施形態に限定されることなく、本発明の要旨を逸脱しない範囲で種々の変更や変形を行うことができる。
【００６３】
例えば、前記した実施形態では、ＡＴＭ１ａは、プールガイド１４と第１のビルプレス１５と第２のビルプレス１６の３つの壁部材を用いて、２つの空間を形成し、出金紙幣１２ｂを２つの紙幣群に分割（区分）している。しかしながら、ＡＴＭ１ａは、壁部材の数を増やすことによって、さらに多くの空間を形成し、出金紙幣１２ｂをさらに多くの紙幣群に分割（区分）してもよい。
【００６４】
また、例えば、ＡＴＭ１ａは、出金紙幣１２ｂを、金額単位又は紙幣枚数で分割する場合に、一つ目の紙幣群を予め定めた設定値の束とし、二つ目の紙幣群を残りの束として集積するようにしてもよい。具体的には、ＡＴＭ１ａは、１００万円以上の出金紙幣１２ｂを分割する場合に、一つ目の紙幣群を１００万円の束とし、二つ目の紙幣群を残りの金額の束として集積するようにしてもよい。若しくは、例えば、ＡＴＭ１ａは、１００枚以上の出金紙幣１２ｂを分割する場合に、一つ目の紙幣群を１００枚の束とし、二つ目の紙幣群を残りの枚数の束として集積するようにしてもよい。
なお、一つ目の紙幣群に対して定める設定値は、出金の金額又は紙幣枚数に応じて、変動するようにしてもよい。例えば、顧客が５０万円以上１００万円未満の出金を行う場合に、ＡＴＭ１ａは、一つ目の紙幣群を５０万円の束とし、二つ目の紙幣群を残りの金額の束として集積するようにしてもよい。
【００６５】
また、例えば、前記した実施形態では、ＡＴＭ１ａは、第１のビルプレス１５を退避させるために、底板５ｂの一部を開放している。しかしながら、ＡＴＭ１ａは、ピッカローラ１７が第２群の出金紙幣１２Ｂａ，１２Ｂｂと接触できるように、第１のビルプレス１５のピッカローラ１７と対向する位置にローラ用孔を設けるとともに、ピッカローラ１７がそのローラ用孔から第２群の出金紙幣１２Ｂ側に突出する程度の厚さに第１のビルプレス１５を形成するとよい。これにより、ＡＴＭ１ａは、第１のビルプレス１５を退避させるための機構を有することなく、従来装置と同様の機構で、第２群の出金紙幣１２Ｂａ，１２Ｂｂを内部に取り込みできる。
【図面の簡単な説明】
【００６６】
【図１】実施形態に係る紙幣自動取引装置の動作説明図である。
【図２】実施形態に係る紙幣自動取引装置の動作を説明するためのフローチャートである。
【図３】操作表示部の表示例の説明図である。
【図４】実施形態に係る紙幣自動取引装置の動作説明図である。
【図５】一般的な紙幣自動取引装置の斜視図である。
【図６】従来装置における紙幣入出金口の内部機構の側面図である。
【図７】従来装置における紙幣入出金口の内部機構の動作説明図（１）である。
【図８】従来装置における紙幣入出金口の内部機構の動作説明図（２）である。
【符号の説明】
【００６７】
１ａ    紙幣自動取引装置（ＡＴＭ）
２    カード挿入排出口
３    通帳挿入排出口
４    操作表示部
５    紙幣入出金口
５ａ    側板
５ｂ    底板
６    硬貨入出金口
７    接客部
１１    紙幣室
１２（１２ａ，１２ｂ，１２ｃ）    紙幣（入金紙幣，出金紙幣，リジェクト紙幣）
１３    シャッタ
１４    プールガイド
１５    第１のビルプレス
１６    第２のビルプレス
１７    ピッカローラ
１８    フィードローラ
１９    ゲートローラ
２０    放出搬送路
２１    分離搬送路
【図１】
2010157150.tif 000003
【図２】
2010157150.tif 000004
【図３】
2010157150.tif 000005
【図４】
2010157150.tif 000006
【図５】
2010157150.tif 000007
【図６】
2010157150.tif 000008
【図７】
2010157150.tif 000009
【図８】
2010157150.tif 000010